【手続補正書】
【提出日】令和1年10月24日(2019.10.24)
【手続補正１】
【補正対象書類名】特許請求の範囲
【補正対象項目名】全文
【補正方法】変更
【補正の内容】
【特許請求の範囲】
【請求項１】
被験体の多重セッションのイメージング調査の一部である現在のイメージングセッションを実行するイメージング方法を実施するようにプログラムされた電子プロセッサを備えたイメージングコントローラであって、前記イメージング方法が、
前記イメージング調査の過去のイメージングセッションのイメージングデータ獲得及び再構築パラメータ並びに少なくとも１つの発見の空間的パラメータを、前記過去のイメージングセッションの前記イメージングデータ獲得及び再構築パラメータを少なくとも含む、前記イメージング調査に関する情報を格納するバイナリラージオブジェクト（ＢＬＯＢ）から検索するステップと、
検索された前記過去のイメージングセッションの前記イメージングデータ獲得及び再構築パラメータを用いて、イメージングシステムを自動的に構成するステップと、
前記自動的に構成するステップの後、現在のイメージングデータを前記被験体から獲得し、前記現在のイメージングデータを再構築して前記被験体の現在の画像を生成するように、前記イメージングシステムを制御するステップと、
検索された前記少なくとも１つの発見の前記空間的パラメータを使用して、前記現在の画像の中で関心領域（ＲＯＩ）又は描写輪郭を特定するステップと、
前記制御に使用される前記イメージングデータ獲得及び再構築パラメータを、前記イメージング調査の前記現在のイメージングセッションの前記イメージングデータ獲得及び再構築パラメータとして、前記ＢＬＯＢに格納するステップとを有する、イメージングコントローラ。
【請求項２】
前記イメージング方法が、
前記過去のイメージングセッションの腫瘍又は病変発見のための空間情報を検索するステップと、
前記過去のイメージングセッションの前記腫瘍又は病変発見のための前記空間情報を使用して、前記過去のイメージングセッションと比較して低減された前記現在のイメージングセッションのスキャン範囲を計算するステップと、
前記制御に先立って、前記現在のイメージングセッションの前記低減されたスキャン範囲を実現するために、前記現在のイメージングセッションに対するｚ位置の最小及び最大の計画ラインを用いて、前記イメージングシステムを自動的に構成するステップとを更に有する、請求項１に記載のイメージングコントローラ。
【請求項３】
前記イメージング方法が、
前記自動的に構成するステップの後であって前記制御するステップの前に、前記イメージングシステムの自動的構成に対する少なくとも１つの変更を受信するステップを更に有し、前記制御するステップは、受信した前記少なくとも１つの変更によって修正された、検索された前記過去のイメージングセッションの前記イメージングデータ獲得及び再構築パラメータを用いて実施される、請求項１に記載のイメージングコントローラ。
【請求項４】
前記イメージング方法が、
領域成長又は輪郭調節アルゴリズムを使用して、前記現在の画像の中で前記ＲＯＩ又は描写輪郭を調節するステップを更に有し、
前記格納するステップが、調節された前記ＲＯＩ又は描写輪郭を前記ＢＬＯＢに格納するステップを含む、請求項１に記載のイメージングコントローラ。
【請求項５】
前記現在のイメージングデータが現在の放射イメージングデータを含み、前記イメージング方法が、
減衰補正なしで前記現在の放射イメージングデータを再構築して、前記被験体の非減衰補正の現在の放射画像を生成するステップと、
前記過去のイメージングセッションで獲得した過去の非減衰補正放射画像及び過去のコンピュータ断層撮影（ＣＴ）画像を、前記ＢＬＯＢから検索するステップと、
空間変換を生成して、前記被験体の前記過去の非減衰補正放射画像を前記現在の非減衰補正放射画像と空間的に整列させるステップと、
前記空間変換を使用して前記過去のＣＴ画像を歪曲して、歪曲ＣＴ画像を生成するステップと、
前記歪曲ＣＴ画像を使用して実施される減衰補正を用いて前記現在の放射イメージングデータを再構築して、前記被験体の減衰補正された現在の放射画像を生成するステップとを更に有する、請求項１に記載のイメージングコントローラ。
【請求項６】
前記現在のイメージングデータが、前記被験体の現在の放射イメージングデータ及び現在のコンピュータ断層撮影（ＣＴ）イメージングデータを含み、前記イメージング方法が、
前記過去のイメージングセッションで獲得した過去のＣＴ画像及び過去の減衰補正放射画像を、前記ＢＬＯＢから検索するステップと、
前記現在のＣＴイメージングデータを再構築して現在のＣＴ画像を生成するステップと、
空間変換を生成して、前記被験体の前記過去のＣＴ画像を前記現在のＣＴ画像と空間的に整列させるステップと、
前記空間変換を使用して前記過去の減衰補正放射画像を歪曲して、歪曲された減衰補正放射画像を生成するステップと、
前記現在のＣＴ画像を使用して、且つ前記歪曲された減衰補正放射画像を先行データとして使用して実施される減衰補正を用いて、前記現在の放射イメージングデータを再構築して、前記被験体の減衰補正された現在の放射画像を生成するステップとを更に有する、請求項１に記載のイメージングコントローラ。
【請求項７】
放射線量を低減したイメージング方法を実施する電子プロセッサを備えたイメージングコントローラであって、前記イメージング方法が、
放射イメージングシステムを使用して、現在の放射イメージングデータを被験体から獲得するステップと、
減衰補正なしで前記現在の放射イメージングデータを再構築して、前記被験体の非減衰補正の現在の放射画像を生成するステップと、
空間変換を生成して、前記被験体の過去の非減衰補正放射画像を前記現在の非減衰補正放射画像と空間的に整列させるステップと、
前記空間変換を使用して、前記過去の非減衰補正放射画像と空間的に整列された過去のコンピュータ断層撮影（ＣＴ）画像を歪曲して、歪曲ＣＴ画像を生成するステップと、
前記歪曲ＣＴ画像を使用して実施される減衰補正を用いて前記現在の放射イメージングデータを再構築して、前記被験体の減衰補正された現在の放射画像を生成するステップとを有する、イメージングコントローラ。
【請求項８】
前記減衰補正を用いて前記現在の放射イメージングデータを再構築する動作が、
前記歪曲ＣＴ画像を減衰マップとして使用して実施される減衰補正を用いて、前記現在の放射イメージングデータを再構築するステップを含む、請求項７に記載のイメージングコントローラ。
【請求項９】
前記歪曲の前に前記過去のＣＴ画像をスケーリングして、放射データの粒子エネルギーとＸ線の粒子エネルギーとの間の差について調節するステップ、及び、
前記歪曲ＣＴ画像を減衰マップとして使用する前に、前記歪曲ＣＴ画像をスケーリングして、放射データの粒子エネルギーとＸ線の粒子エネルギーとの間の前記差について調節するステップのうち１つを更に含む、請求項８に記載のイメージングコントローラ。
【請求項１０】
前記歪曲ＣＴ画像を使用して実施される減衰補正を用いて前記現在の放射イメージングデータを再構築する動作が、
前記過去のＣＴ画像を獲得するのに使用したＸ線量よりも低いＸ線量で、ＣＴイメージングシステムを使用して、前記被験体の低線量ＣＴイメージングデータを獲得するステップと、
前記歪曲ＣＴ画像を先行情報として使用して前記低線量ＣＴイメージングデータを再構築して、前記被験体の低線量ＣＴ画像を生成するステップと、
前記低線量ＣＴ画像を減衰マップとして使用して実施される減衰補正を用いて、前記現在の放射イメージングデータを再構築するステップとを含む、請求項７に記載のイメージングコントローラ。
【請求項１１】
前記過去の非減衰補正放射画像が前記被験体のものであり、前記歪曲ＣＴ画像を使用して実施される減衰補正を用いて前記現在の放射イメージングデータを再構築する動作が、
（１）前記被験体の前記過去の非減衰補正放射画像の獲得時と、前記被験体からの前記現在の放射イメージングデータの獲得時との間の前記被験体の体重変化、及び、（２）前記空間変換を使用して空間的に整列された、前記被験体の前記現在の非減衰補正放射画像と前記過去の非減衰補正放射画像との間の相対重複基準、のうち少なくとも一方を使用して、ＣＴ再使用可能性基準を計算するステップと、
前記ＣＴ再使用可能性基準に基づいて、
（ｉ）前記歪曲ＣＴ画像を減衰マップとして使用して実施される減衰補正を用いて、前記現在の放射イメージングデータを再構築するステップ、及び、
（ｉｉ）前記過去のＣＴ画像を獲得するのに使用したＸ線量よりも低いＸ線量でＣＴイメージングシステムを使用して、前記被験体の低線量ＣＴイメージングデータを獲得し、前記歪曲ＣＴ画像を先行情報として使用して前記低線量ＣＴイメージングデータを再構築して、前記被験体の低線量ＣＴ画像を生成し、前記低線量ＣＴ画像を減衰マップとして使用して実施される減衰補正を用いて、前記現在の放射イメージングデータを再構築するステップ
の一方を実施するステップと、を含む、請求項７に記載のイメージングコントローラ。
【請求項１２】
放射イメージングが、陽子射出断層撮影（ＰＥＴ）イメージング又は単光子射出コンピュータ断層撮影（ＳＰＥＣＴ）イメージングである、請求項７に記載のイメージングコントローラ。
【請求項１３】
前記過去の非減衰補正放射画像が前記被験体のものであり、前記過去のＣＴ画像が前記被験体のものである、請求項７に記載のイメージングコントローラ。
【請求項１４】
前記放射線量を低減したイメージング方法が、
前記過去の非減衰補正放射画像と、前記過去の非減衰補正放射画像と空間的に整列された前記過去のＣＴ画像とを、放射／ＣＴ調査アトラスから検索するステップを更に有する、請求項７に記載のイメージングコントローラ。
【請求項１５】
陽子射出断層撮影（ＰＥＴ）又は単光子射出コンピュータ断層撮影（ＳＰＥＣＴ）システムを備える放射イメージングシステムと、
コンピュータ断層撮影（ＣＴ）イメージングシステムと、
前記放射イメージングシステムを使用して前記被験体から前記現在の放射イメージングデータを獲得し、前記ＣＴイメージングシステムを使用してＣＴイメージングデータを獲得する、請求項７乃至１４のいずれか一項に記載のイメージングコントローラとを備える、イメージングシステム。
【請求項１６】
放射線量を低減したイメージング方法を実施するために、複合放射イメージングシステム及びコンピュータ断層撮影（ＣＴ）イメージングシステムによって読取り可能及び実行可能である命令を格納した、非一時的記憶媒体であって、前記イメージング方法が、
前記放射イメージングシステムを使用して、現在の放射イメージングデータを被験体から獲得するステップと、
減衰補正なしで前記現在の放射イメージングデータを再構築して、前記被験体の非減衰補正の現在の放射画像を生成するステップと、
空間変換を生成して、前記被験体の過去の非減衰補正放射画像を前記被験体の前記現在の非減衰補正放射画像と空間的に整列させるステップと、
（１）前記過去の非減衰補正放射画像の獲得時と、前記現在の放射イメージングデータの獲得時との間の前記被験体の体重変化、及び、（２）前記空間変換を使用して空間的に整列された、前記被験体の前記現在の非減衰補正放射画像と前記過去の非減衰補正放射画像との間の相対重複基準、のうち少なくとも一方を使用して、ＣＴ再使用可能性基準を計算するステップと、
方法（ｉ）、（ｉｉ）、又は（ｉｉｉ）を選択して、前記ＣＴ再使用可能性基準に基づいて減衰マップを生成するステップであって、
方法（ｉ）が、前記空間変換を使用して、前記被験体の前記過去の非減衰補正放射画像と空間的に整列された前記被験体の過去のＣＴ画像を歪曲して、歪曲ＣＴ画像を生成することを含み、
方法（ｉｉ）が、前記被験体の前記過去のＣＴ画像を歪曲して前記歪曲ＣＴ画像を生成し、前記過去のＣＴ画像を獲得するのに使用したＸ線量よりも低いＸ線量で、前記ＣＴイメージングシステムを使用して、前記被験体の低線量ＣＴイメージングデータを獲得し、前記歪曲ＣＴ画像を先行情報として使用して前記低線量ＣＴイメージングデータを再構築して、低線量ＣＴ画像を生成することを含み、
方法（ｉｉｉ）が、前記現在の放射データを獲得した後に、前記被験体の新しいＣＴ画像を獲得することを含む、ステップと、
前記選択された方法を実施して前記減衰マップを生成するステップと、
前記生成された減衰マップを使用して実施される減衰補正を用いて前記現在の放射イメージングデータを再構築して、前記被験体の減衰補正された現在の放射画像を生成するステップとを有する、非一時的記憶媒体。
【請求項１７】
前記ＣＴ再使用可能性基準が（１）前記体重変化及び（２）前記相対重複基準の両方に基づく、請求項１６に記載の非一時的記憶媒体。
【請求項１８】
放射線量を低減したイメージング方法を実施する電子プロセッサを備えたイメージングコントローラであって、前記イメージング方法が、
放射イメージングシステムを使用して、現在の放射イメージングデータを被験体から獲得するステップと、
ＣＴイメージングシステムを使用して、前記被験体の現在のＣＴ画像を獲得するステップと、
空間変換を生成して、前記被験体の過去のＣＴ画像を前記現在のＣＴ画像と空間的に整列させるステップと、
前記空間変換を使用して、前記過去のＣＴ画像と空間的に整列された過去の減衰補正放射画像を歪曲して、歪曲減衰補正放射画像を生成するステップと、
前記現在のＣＴ画像を使用して、且つ前記歪曲された減衰補正放射画像を先行データとして使用して実施される減衰補正を用いて、前記現在の放射イメージングデータを再構築して、前記被験体の減衰補正された現在の放射画像を生成するステップとを有する、イメージングコントローラ。
【請求項１９】
前記過去のＣＴ画像が前記被験体のものであり、前記過去の減衰補正放射画像が前記被験体のものである、請求項１８に記載のイメージングコントローラ。
【請求項２０】
前記放射線量を低減したイメージング方法が、
前記過去のＣＴ画像と、前記過去のＣＴ画像と空間的に整列された前記過去の減衰補正放射画像とを、放射／ＣＴ調査アトラスから検索するステップを更に有する、請求項１８に記載のイメージングコントローラ。